(57)【要約】【課題】ユーザの周囲の音声の中から、ユーザに提供する音声を出力することができる音声処理装置、音声処理方法及び音声処理プログラムを提供する。【解決手段】音声抽出部１２は、ユーザの周囲の音声を示す周囲音声信号を取得し、抑圧音判別部１５２は、音声抽出部１２によって取得された周囲音声信号から、ユーザに提供する音声を示す提供音声信号を抽出し、信号加算部１７は、主音声を示す第１の音声信号及び提供音声信号を出力する。【選択図】図１
2020156107.tif 000002
【特許請求の範囲】
【請求項１】
ユーザの周囲の音声を示す周囲音声信号を取得する周囲音声取得部と、
前記周囲音声取得部によって取得された前記周囲音声信号から、ユーザに提供する音声を示す提供音声信号を決定する音声決定部と、
主音声を示す音声信号を記憶する音源部と、
前記音源部に記憶された音声信号を再生する再生部と、
前記再生された音声信号及び前記提供音声信号を出力する出力部と、
を備える音声処理装置。
【請求項２】
前記提供音声信号には優先度が付与されており、
第１の優先度が付与された提供音声信号は、前記再生された音声信号とともに出力される、
請求項１記載の音声処理装置。
【請求項３】
前記提供音声信号には優先度が付与されており、
第２の優先度が付与された提供音声信号は、前記音声信号の再生が終了した後に出力される、
請求項１又は２に記載の音声処理装置。
【請求項４】
前記提供音声信号には優先度が付与されており、
第３の優先度が付与された提供音声信号は、出力されない、
請求項１〜３のいずれか１項に記載の音声処理装置。
【請求項５】
前記提供音声信号は、前記周囲音声取得部によって取得された前記周囲音声信号から抽出された音声信号である、
請求項１〜４のいずれか１項に記載の音声処理装置。
【請求項６】
前記提供音声信号は、ユーザに提供する周囲音声が存在することを報知する報知音声である、
請求項１〜５のいずれか１項に記載の音声処理装置。
【請求項７】
前記音源部に記憶された音声信号は、音楽データを含む、
請求項１〜６のいずれか１項に記載の音声処理装置。
【請求項８】
ユーザの周囲の音声を示す周囲音声信号を取得する周囲音声取得ステップと、
前記周囲音声取得ステップにおいて取得された前記周囲音声信号から、ユーザに提供する音声を示す提供音声信号を決定する音声決定ステップと、
主音声を示す音声信号を記憶する記憶ステップと、
前記記憶された音声信号を再生する再生ステップと、
前記再生された音声信号及び前記提供音声信号を出力する出力ステップと、
を含む音声処理方法。
【請求項９】
ユーザの周囲の音声を示す周囲音声信号を取得する周囲音声取得部と、
前記周囲音声取得部によって取得された前記周囲音声信号から、ユーザに提供する音声を示す提供音声信号を決定する音声決定部と、
主音声を示す音声信号を記憶する音源部と、
前記音源部に記憶された音声信号を再生する再生部と、
前記再生された音声信号及び前記提供音声信号を出力する出力部としてコンピュータを機能させる、
音声処理プログラム。
【発明の詳細な説明】
【技術分野】
【０００１】
本開示は、ユーザの周囲の音声を示す音声信号を取得し、取得した音声信号に対して所定の処理を施す音声処理装置、音声処理方法及び音声処理プログラムに関するものである。
【背景技術】
【０００２】
補聴器の一つの基本機能は、会話する相手の声をいかに聴きやすくするかである。この機能を実現するため、会話する相手の声を強調する手段として、適応指向性収音処理、雑音抑圧処理及び音源分離処理等が用いられる。これにより、会話する相手の声以外の音を抑圧することができる。
【０００３】
また、携帯音楽プレーヤ又は携帯ラジオなどは、周囲の音を入力する手段を持たず、専ら機器に蓄積された内容を再生したり、受信した放送の内容を出力したりする。
【０００４】
さらに、一部のヘッドホンは、周囲の音を入力する手段を備え、内部処理で周囲の音を打ち消す信号を生成し、生成した信号を再生音に混合して出力することにより、周囲の音を抑圧する。この技術により、再生のための電子機器のユーザの周囲にある騒音を遮断しつつ、ユーザが所望する再生音を得ることができる。
【０００５】
例えば、特許文献１における聴覚補助装置（補聴器）は、マイクで集音した外来音を常時リングバッファに書き込んでおり、リングバッファが記憶する外来音データから一定期間分の外来音データを読み出して分析し、声の有無を判定し、直前の判定結果が声無しの場合、リングバッファに書き込み直後の外来音データを読み出して、環境音用の増幅率で増幅してスピーカから出力し、直前の判定結果が声無しであったが今回の判定結果が声有りの場合、声有りと判定した一定期間分の外来音データをリングバッファから読み出して、時間圧縮しながら声用の増幅率で増幅してスピーカから出力する。
【０００６】
また、特許文献２における話速変換装置は、入力音声信号を有声区間と無音・無声区間に分離し、有声区間を無音・無声区間へ時間的に伸長させる信号処理を施すことにより話速を変換させた信号を出力し、入力音声信号から予報音信号と正報音信号とで構成された時報信号中の予報音信号を検出し、予報音信号を検出した場合に、信号処理後の有声区間から時報信号を削除し、予報音信号を検出した場合に、予報音信号と正報音信号とで構成された新たな時報信号を生成し、生成した新たな時報信号を、その時報信号の正報音の出力タイミングが入力音声信号の時報信号中の正報音が出力されると仮定した場合の出力タイミングと一致するように、出力信号に対して合成する。
【０００７】
また、特許文献３における両耳補聴器システムは、使用者の第一耳の中又はそばに配置するように構成された、第一入力信号を提供する第一マイクロホンシステム、及び使用者の第二耳の中又はそばに配置するように構成された、第二入力信号を提供する第二マイクロホンシステムを備え、全方向性（ＯＭＮＩ）マイクロホンモードと指向性（ＤＩＲ）マイクロホンモードとを自動的に切換えている。
【先行技術文献】
【特許文献】
【０００８】
【特許文献１】特開２００５−６４７４４号公報
【特許文献２】特開２００５−１４８４３４号公報
【特許文献３】特表２００９−５２８８０２号公報
【発明の概要】
【発明が解決しようとする課題】
【０００９】
上記従来の技術では、更なる改善が必要とされていた。
【課題を解決するための手段】
【００１０】
本開示の一局面に係る音声処理装置は、ユーザの周囲の音声を示す周囲音声信号を取得する周囲音声取得部と、前記周囲音声取得部によって取得された前記周囲音声信号から、ユーザに提供する音声を示す提供音声信号を決定する音声決定部と、主音声を示す音声信号を記憶する音源部と、前記音源部に記憶された音声信号を再生する再生部と、前記再生された音声信号及び前記提供音声信号を出力する出力部と、を備える。
【発明の効果】
【００１１】
本開示によれば、ユーザの周囲の音声の中から、ユーザに提供する音声を出力することができる。
【００１２】
なお、本開示の更なる効果及び利点は、本明細書及び図面の開示内容から明らかとなるであろう。上記更なる効果及び利点は、本明細書及び図面に開示されている様々な実施の形態及び特徴によって個別に提供されてもよく、必ずしもすべての効果及び利点が提供される必要はない。
【図面の簡単な説明】
【００１３】
【図１】実施の形態１における音声処理装置の構成を示す図である。
【図２】実施の形態１における出力パターンの一例を示す図である。
【図３】実施の形態１における音声処理装置の動作の一例を説明するためのフローチャートである。
【図４】ユーザに提供する抑圧音声信号を遅延して出力するタイミングの第１の変形例について説明するための模式図である。
【図５】ユーザに提供する抑圧音声信号を遅延して出力するタイミングの第２の変形例について説明するための模式図である。
【図６】実施の形態２における音声処理装置の構成を示す図である。
【図７】実施の形態２における音声処理装置の動作の一例を説明するためのフローチャートである。
【図８】実施の形態３における音声処理装置の構成を示す図である。
【図９】実施の形態３における音声処理装置の動作の一例を説明するためのフローチャートである。
【図１０】実施の形態４における音声処理装置の構成を示す図である。
【図１１】実施の形態４における音声処理装置の動作の一例を説明するためのフローチャートである。
【発明を実施するための形態】
【００１４】
（本開示の基礎となった知見）
従来技術によれば、会話する相手の声以外の音を抑圧するため、例えば電話の着信音などを含むユーザの周囲の音を、ユーザは全く聞くことができなくなる。このため、ユーザは、電話の着信音が鳴ったとしても聞こえず、電話の着信に気づかないということが起こる。
【００１５】
また、特許文献１では、声の有無が判定され、声有りと判定している場合には声無しと判定しているときよりも増幅率が高く設定されるので、騒音が大きい環境下で会話している場合は、騒音も大音量で出力されるため、会話が聞き取りにくくなるおそれがある。
【００１６】
また、特許文献２では、入力音声信号に対して話速変換を行った場合においても、時報については同時に又はほとんど遅延を生じさせることなく音声出力させているが、声及び時報以外の環境音については抑圧されておらず、会話が聞き取りにくくなるおそれがある。
【００１７】
また、特許文献３では、音声を取得するマイクロホンの全方向性マイクロホンモードと指向性マイクロホンモードとを自動的に切換えることについて開示しているが、取得した音声から、ユーザにとって不要な音声を抑圧するとともに、ユーザにとって必要な音声を抽出することについては開示されていない。
【００１８】
以上の考察に基づき、本発明者らは本開示の各態様を想到するに至った。
【００１９】
本開示の一局面に係る音声処理装置は、ユーザの周囲の音声を示す周囲音声信号を取得する周囲音声取得部と、前記周囲音声取得部によって取得された前記周囲音声信号から、ユーザに提供する音声を示す提供音声信号を抽出する音声抽出部と、主音声を示す第１の音声信号及び前記提供音声信号を出力する出力部と、を備える。
【００２０】
この構成によれば、ユーザの周囲の音声を示す周囲音声信号が取得され、取得された周囲音声信号から、ユーザに提供する音声を示す提供音声信号が抽出され、主音声を示す第１の音声信号及び提供音声信号が出力される。
【００２１】
したがって、ユーザの周囲の音声の中から、ユーザに提供する音声を出力することができる。
【００２２】
また、上記の音声処理装置において、前記周囲音声取得部によって取得された前記周囲音声信号を、前記第１の音声信号と、前記主音声とは異なる音声を示す第２の音声信号とに分離する音声分離部をさらに備え、前記音声抽出部は、前記音声分離部によって分離された前記第２の音声信号から前記提供音声信号を抽出し、前記出力部は、前記音声分離部によって分離された前記第１の音声信号を出力するとともに、前記音声抽出部によって抽出された前記提供音声信号を出力してもよい。
【００２３】
この構成によれば、取得された周囲音声信号が、第１の音声信号と、主音声とは異なる音声を示す第２の音声信号とに分離される。分離された第２の音声信号から提供音声信号が抽出される。分離された第１の音声信号が出力されるとともに、抽出された提供音声信号が出力される。
【００２４】
したがって、ユーザの周囲の音声の中から、主音声と、主音声とは異なる音声とが分離されるので、主音声とは異なる音声を抑圧することにより、ユーザは主音声をより明確に聞き取ることができる。
【００２５】
また、上記の音声処理装置において、前記主音声は、会話に参加している人が発話した音声を含んでもよい。
【００２６】
この構成によれば、会話に参加している人が発話した音声とは異なる音声を抑圧することにより、ユーザは、会話に参加している人が発話した音声をより明確に聞き取ることができる。
【００２７】
また、上記の音声処理装置において、前記第１の音声信号を予め記憶する音声信号記憶部をさらに備え、前記出力部は、前記音声信号記憶部から読み出した前記第１の音声信号を出力するとともに、前記音声抽出部によって抽出された前記提供音声信号を出力してもよい。
【００２８】
この構成によれば、第１の音声信号が音声信号記憶部に予め記憶され、音声信号記憶部から読み出した第１の音声信号が出力されるとともに、抽出された提供音声信号が出力されるので、ユーザの周囲の音声から主音声を分離するのではなく、予め記憶されている主音声を出力することができる。
【００２９】
また、上記の音声処理装置において、前記主音声は、音楽データを含んでもよい。この構成によれば、音楽データを出力することができる。
【００３０】
また、上記の音声処理装置において、前記提供音声信号に関するサンプル音声信号を記憶するサンプル音声記憶部をさらに備え、前記音声抽出部は、前記周囲音声信号の特徴量と、前記サンプル音声記憶部に記録されている前記サンプル音声信号の特徴量とを比較し、前記サンプル音声信号の特徴量に類似する特徴量を有する音声信号を前記提供音声信号として抽出してもよい。
【００３１】
この構成によれば、提供音声信号に関するサンプル音声信号がサンプル音声記憶部に記憶されている。周囲音声信号の特徴量と、サンプル音声記憶部に記録されているサンプル音声信号の特徴量とが比較され、サンプル音声信号の特徴量に類似する特徴量を有する音声信号が提供音声信号として抽出される。
【００３２】
したがって、周囲音声信号の特徴量と、サンプル音声記憶部に記録されているサンプル音声信号の特徴量とを比較することにより、提供音声信号を簡単に抽出することができる。
【００３３】
また、上記の音声処理装置において、前記提供音声信号を遅延させずに前記第１の音声信号とともに出力する第１の出力パターンと、前記第１の音声信号のみを出力した後、前記提供音声信号を遅延させて出力する第２の出力パターンと、前記周囲音声信号から前記提供音声出力が抽出されない場合、前記第１の音声信号のみを出力する第３の出力パターンとのうちいずれかの出力パターンを選択する選択部と、前記第１の出力パターンが選択された場合、前記提供音声信号を遅延させずに前記第１の音声信号とともに出力し、前記第２の出力パターンが選択された場合、前記第１の音声信号のみを出力した後、前記提供音声信号を遅延させて出力し、前記第３の出力パターンが選択された場合、前記第１の音声信号のみを出力する音声出力部と、をさらに備えてもよい。
【００３４】
この構成によれば、提供音声信号を遅延させずに第１の音声信号とともに出力する第１の出力パターンと、第１の音声信号のみを出力した後、提供音声信号を遅延させて出力する第２の出力パターンと、周囲音声信号から提供音声出力が抽出されない場合、第１の音声信号のみを出力する第３の出力パターンとのうちいずれかの出力パターンが選択される。第１の出力パターンが選択された場合、提供音声信号が遅延させずに第１の音声信号とともに出力される。第２の出力パターンが選択された場合、第１の音声信号のみが出力された後、提供音声信号が遅延させて出力される。第３の出力パターンが選択された場合、第１の音声信号のみが出力される。
【００３５】
したがって、提供音声信号の優先度に応じて提供音声信号を出力するタイミングを決定することができ、より緊急度の高い提供音声信号については、第１の音声信号とともに出力することができ、緊急度の低い提供音声信号については、第１の音声信号が出力された後に出力することができ、特にユーザに提供する必要がない周囲音声信号については、出力せずに抑圧することができる。
【００３６】
また、上記の音声処理装置において、前記第１の音声信号の出力が終了してから次の第１の音声信号が入力されるまでの無声区間を検出する無声区間検出部をさらに備え、前記音声出力部は、前記第２の出力パターンが選択された場合、前記無声区間検出部によって前記無声区間が検出されたか否かを判断し、前記無声区間が検出されたと判断された場合、前記第３の音声信号を前記無声区間に出力してもよい。
【００３７】
この構成によれば、第１の音声信号の出力が終了してから次の第１の音声信号が入力されるまでの無声区間が検出される。第２の出力パターンが選択された場合、無声区間検出部によって無声区間が検出されたか否かが判断され、無声区間が検出されたと判断された場合、第３の音声信号が無声区間に出力される。
【００３８】
したがって、人の発話がない無声区間に第３の音声信号が出力されるので、ユーザは、第３の音声信号をより明確に聞き取ることができる。
【００３９】
また、上記の音声処理装置において、前記第１の音声信号における話速を検出する話速検出部をさらに備え、前記音声出力部は、前記第２の出力パターンが選択された場合、前記話速検出部によって検出された前記話速が所定の速度より遅いか否かを判断し、前記話速が所定の速度より遅いと判断された場合、前記第３の音声信号を出力してもよい。
【００４０】
この構成によれば、第１の音声信号における話速が検出される。第２の出力パターンが選択された場合、検出された話速が所定の速度より遅いか否かが判断され、話速が所定の速度より遅いと判断された場合、第３の音声信号が出力される。
【００４１】
したがって、話速が所定の速度より遅くなった場合に、第３の音声信号が出力されるので、ユーザは、第３の音声信号をより明確に聞き取ることができる。
【００４２】
また、上記の音声処理装置において、前記第１の音声信号の出力が終了してから次の第１の音声信号が入力されるまでの無声区間を検出する無声区間検出部をさらに備え、前記音声出力部は、前記第２の出力パターンが選択された場合、前記無声区間検出部によって検出される前記無声区間が所定の長さ以上であるか否かを判断し、前記無声区間が所定の長さ以上であると判断された場合、前記第３の音声信号を前記無声区間に出力してもよい。
【００４３】
この構成によれば、第１の音声信号の出力が終了してから次の第１の音声信号が入力されるまでの無声区間が検出される。第２の出力パターンが選択された場合、検出される無
声区間が所定の長さ以上であるか否かが判断され、無声区間が所定の長さ以上であると判断された場合、第３の音声信号が無声区間に出力される。
【００４４】
したがって、発話が途切れた場合に、第３の音声信号が出力されるので、ユーザは、第３の音声信号をより明確に聞き取ることができる。
【００４５】
本開示の他の局面に係る音声処理方法は、ユーザの周囲の音声を示す周囲音声信号を取得する周囲音声取得ステップと、前記周囲音声取得ステップにおいて取得された前記周囲音声信号から、ユーザに提供する音声を示す提供音声信号を抽出する音声抽出ステップと、主音声を示す第１の音声信号及び前記提供音声信号を出力する出力ステップと、を含む。
【００４６】
この構成によれば、ユーザの周囲の音声を示す周囲音声信号が取得され、取得された周囲音声信号から、ユーザに提供する音声を示す提供音声信号が抽出され、主音声を示す第１の音声信号及び提供音声信号が出力される。
【００４７】
したがって、ユーザの周囲の音声の中から、ユーザに提供する音声を出力することができる。
【００４８】
本開示の他の局面に係る音声処理プログラムは、ユーザの周囲の音声を示す周囲音声信号を取得する周囲音声取得部と、前記周囲音声取得部によって取得された前記周囲音声信号から、ユーザに提供する音声を示す提供音声信号を抽出する音声抽出部と、主音声を示す第１の音声信号及び前記提供音声信号を出力する出力部としてコンピュータを機能させる。
【００４９】
この構成によれば、ユーザの周囲の音声を示す周囲音声信号が取得され、取得された周囲音声信号から、ユーザに提供する音声を示す提供音声信号が抽出され、主音声を示す第１の音声信号及び提供音声信号が出力される。
【００５０】
したがって、ユーザの周囲の音声の中から、ユーザに提供する音声を出力することができる。
【００５１】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００５２】
以下添付図面を参照しながら、本開示の実施の形態について説明する。なお、以下の実施の形態は、本開示を具体化した一例であって、本開示の技術的範囲を限定するものではない。
【００５３】
（実施の形態１）
図１は、実施の形態１における音声処理装置の構成を示す図である。音声処理装置１は、例えば、補聴器である。
【００５４】
図１に示す音声処理装置１は、マイクアレイ１１、音声抽出部１２、会話評価部１３、抑圧音格納部１４、優先度評価部１５、抑圧音出力部１６、信号加算部１７、音声強調部１８及びスピーカ１９を備える。
【００５５】
マイクアレイ１１は、複数のマイクロホンで構成される。複数のマイクロホンのそれぞれは、周囲の音声を収音し、収音した音声を音声信号に変換する。
【００５６】
音声抽出部１２は、音源毎に音声信号を抽出する。音声抽出部１２は、ユーザの周囲の音声を示す周囲音声信号を取得する。音声抽出部１２は、マイクアレイ１１によって取得された複数の音声信号に基づいて、音源が異なる複数の音声信号を抽出する。音声抽出部１２は、指向性合成部１２１及び音源分離部１２２を備える。
【００５７】
指向性合成部１２１は、マイクアレイ１１から出力された複数の音声信号から、同一音源から出力された複数の音声信号を抽出する。
【００５８】
音源分離部１２２は、例えば、ブラインド音源分離処理により、入力された複数の音声信号を、人間が発話した音声であり、主音声を示す発話音声信号と、発話以外の音声であり、主音声とは異なる抑圧されるべき音声を示す抑圧音声信号とに分離する。主音声は、会話に参加している人が発話した音声を含む。音源分離部１２２は、音源毎に音声信号を分離する。例えば、複数の話者が発話する場合、音源分離部１２２は、複数の話者毎に音声信号を分離する。音源分離部１２２は、分離した発話音声信号を会話評価部１３へ出力し、分離した抑圧音声信号を抑圧音格納部１４へ出力する。
【００５９】
会話評価部１３は、音源分離部１２２から入力された複数の発話音声信号を評価する。具体的に、会話評価部１３は、複数の発話音声信号のそれぞれの話者を特定する。例えば、会話評価部１３は、話者と、話者を識別するために用いられる音響パラメタとを対応付けて記憶する。会話評価部１３は、入力された発話音声信号と、記憶されている音響パラメタとを比較することにより、発話音声信号に対応する話者を特定する。なお、会話評価部１３は、入力された発話音声信号の大きさ（レベル）に基づいて話者を識別してもよい。すなわち、音声処理装置１を使用するユーザの音声は、会話する相手の音声よりも大きくなる。そこで、会話評価部１３は、入力された発話音声信号のレベルが所定値以上である場合、当該発話音声信号がユーザ自身の発話であると判断し、入力された発話音声信号のレベルが所定値より小さい場合、当該発話音声信号がユーザ以外の人物の発話であると判断してもよい。また、会話評価部１３は、レベルが２番目に大きい発話音声信号を、ユーザが会話している相手の音声を示す発話音声信号であると判断してもよい。
【００６０】
また、会話評価部１３は、複数の発話音声信号のそれぞれの発話区間を特定する。また、会話評価部１３は、発話音声信号の出力が終了してから次の発話音声信号が入力されるまでの無声区間を検出してもよい。なお、無声区間は、会話がない区間を表す。そのため、会話評価部１３は、会話以外の音声があった場合は無声区間として検出しない。
【００６１】
また、会話評価部１３は、複数の発話音声信号の話速（発話速度）を算出してもよい。例えば、会話評価部１３は、所定の時間内に発話された文字数を所定の時間で除算した値を話速として算出してもよい。
【００６２】
抑圧音格納部１４は、音源分離部１２２から入力された複数の抑圧音声信号を格納する。また、会話評価部１３は、ユーザ自身が発話した音声を示す発話音声信号と、ユーザが会話している相手以外の人物が発話した音声を示す発話音声信号とを抑圧音格納部１４へ出力してもよい。抑圧音格納部１４は、ユーザ自身が発話した音声を示す発話音声信号と、ユーザが会話している相手以外の人物が発話した音声を示す発話音声信号とを格納してもよい。
【００６３】
優先度評価部１５は、複数の抑圧音声信号の優先度を評価する。優先度評価部１５は、抑圧音サンプル記憶部１５１、抑圧音判別部１５２及び抑圧音出力制御部１５３を備える。
【００６４】
抑圧音サンプル記憶部１５１は、ユーザに提供する抑圧音声信号の特徴量を示す音響パラメタを抑圧音声信号毎に記憶する。また、抑圧音サンプル記憶部１５１は、音響パラメタに対応付けて優先度を記憶してもよい。重要度（緊急度）が高い音声には、高い優先度が付与され、重要度（緊急度）が低い音声には、低い優先度が付与される。例えば、ユーザが会話中であっても、即座にユーザに通知した方がよい音声には、第１の優先度が付与され、会話が終了した後でユーザに通知してもよい音声には、第１の優先度より低い第２の優先度が付与される。また、ユーザに通知する必要がない音声については、第２の優先度より低い第３の優先度が付与されてもよい。なお、抑圧音サンプル記憶部１５１は、ユーザに通知する必要がない音声の音響パラメタを記憶しなくてもよい。
【００６５】
ここで、ユーザに提供する音声とは、例えば、電話機の着信音、メールの着信音、ドアホンの音、車のエンジン音（車が接近する音）、車のクラクションの音、又は洗濯完了を通知する通知音などの家電機器から通知される通知音などである。このユーザに提供する音声の中には、ユーザが直ちに対応する必要がある音声と、ユーザが直ちに対応する必要はないが、後から対応する必要がある音声とが含まれる。
【００６６】
抑圧音判別部１５２は、抑圧音格納部１４に格納されている複数の抑圧音声信号のうち、ユーザに提供する音声を示す抑圧音声信号（提供音声信号）を判別する。抑圧音判別部１５２は、取得された周囲音声信号（抑圧音声信号）から、ユーザに提供する音声を示す抑圧音声信号を抽出する。抑圧音判別部１５２は、抑圧音格納部１４に格納されている複数の抑圧音声信号の音響パラメタと、抑圧音サンプル記憶部１５１に記憶されている音響パラメタとを比較し、抑圧音サンプル記憶部１５１に記憶されている音響パラメタに類似する音響パラメタを有する抑圧音声信号を抑圧音格納部１４から抽出する。
【００６７】
抑圧音出力制御部１５３は、抑圧音判別部１５２によってユーザに提供する音声を示す抑圧音声信号であると判別された抑圧音声信号に対応付けられている優先度に応じて、当該抑圧音声信号を出力するか否かを判断するとともに、抑圧音声信号を出力するタイミングを判断する。抑圧音出力制御部１５３は、抑圧音声信号を遅延させずに発話音声信号とともに出力する第１の出力パターンと、発話音声信号のみを出力した後、抑圧音声信号を遅延させて出力する第２の出力パターンと、抑圧音声信号が抽出されない場合、発話音声信号のみを出力する第３の出力パターンとのうちいずれかの出力パターンを選択する。
【００６８】
図２は、実施の形態１における出力パターンの一例を示す図である。抑圧音出力制御部１５３は、抑圧音声信号に第１の優先度が対応付けられている場合、抑圧音声信号を遅延させずに発話音声信号とともに出力する第１の出力パターンを選択する。また、抑圧音出力制御部１５３は、抑圧音声信号に第１の優先度より低い第２の優先度が対応付けられている場合、発話音声信号のみを出力した後、抑圧音声信号を遅延させて出力する第２の出力パターンを選択する。また、抑圧音出力制御部１５３は、ユーザに提供する抑圧音声信号が抽出されない場合、発話音声信号のみを出力する第３の出力パターンを選択する。
【００６９】
また、抑圧音出力制御部１５３は、第１の出力パターンが選択された場合、抑圧音声信号を出力するように抑圧音出力部１６に指示する。また、抑圧音出力制御部１５３は、第２の出力パターンが選択された場合、会話評価部１３によって無声区間が検出されたか否かを判断し、無声区間が検出されたと判断された場合、抑圧音声信号を出力するように抑圧音出力部１６に指示する。また、抑圧音出力制御部１５３は、第３の出力パターンが選択された場合、抑圧音声信号を出力しないように抑圧音出力部１６に指示する。
【００７０】
なお、抑圧音出力制御部１５３は、ユーザに提供する抑圧音声信号が発話音声信号に対して時間的に重なって入力されたか否かを判断してもよい。ユーザに提供する抑圧音声信号が発話音声信号に対して時間的に重なって入力されたと判断された場合、抑圧音出力制御部１５３は、第１から第３の出力パターンのいずれかを選択し、ユーザに提供する抑圧音声信号が発話音声信号に対して時間的に重なって入力されていないと判断された場合、当該抑圧音声信号を出力してもよい。
【００７１】
また、抑圧音出力制御部１５３は、第２の出力パターンが選択された場合、会話評価部１３によって検出される無声区間が所定の長さ以上であるか否かを判断し、無声区間が所定の長さ以上であると判断された場合、抑圧音声信号を出力するように抑圧音出力部１６に指示してもよい。
【００７２】
さらに、抑圧音出力制御部１５３は、第２の出力パターンが選択された場合、会話評価部１３によって検出された話速が所定の速度より遅いか否かを判断し、話速が所定の速度より遅いと判断された場合、抑圧音声信号を出力するように抑圧音出力部１６に指示してもよい。
【００７３】
抑圧音出力部１６は、抑圧音出力制御部１５３からの指示に応じて抑圧音声信号を出力する。
【００７４】
信号加算部１７は、主音声を示す発話音声信号（第１の音声信号）及びユーザに提供する抑圧音声信号（提供音声信号）を出力する。信号加算部１７は、会話評価部１３から出力された分離された発話音声信号と、抑圧音出力部１６によって出力された抑圧音声信号とを合成（加算）して出力する。信号加算部１７は、第１の出力パターンが選択された場合、抑圧音声信号を遅延させずに発話音声信号とともに出力する。信号加算部１７は、第２の出力パターンが選択された場合、発話音声信号のみを出力した後、抑圧音声信号を遅延させて出力する。信号加算部１７は、第３の出力パターンが選択された場合、発話音声信号のみを出力する。
【００７５】
音声強調部１８は、信号加算部１７によって出力された発話音声信号及び／又は抑圧音声信号を強調する。音声強調部１８は、使用者の聴覚特性に合わせるため、例えば、音声信号を増幅したり、周波数帯ごとに音声信号の増幅度を調整したりすることなどにより音声信号を強調する。発話音声信号及び／又は抑圧音声信号を強調することにより、難聴者は、発話音声及び／又は抑圧音声を聞き取りやすくなる。
【００７６】
スピーカ１９は、音声強調部１８によって強調された発話音声信号及び／又は抑圧音声信号を発話音声及び／又は抑圧音声に変換し、変換した発話音声及び／又は抑圧音声を出力する。なお、スピーカ１９は、例えばイヤホンである。
【００７７】
なお、本実施の形態１における音声処理装置１は、マイクアレイ１１、音声強調部１８及びスピーカ１９を備えていなくてもよい。例えば、ユーザが装着する補聴器が、マイクアレイ１１、音声強調部１８及びスピーカ１９を備えており、補聴器が、音声処理装置１とネットワークを介して通信可能に接続されてもよい。
【００７８】
図３は、実施の形態１における音声処理装置の動作の一例を説明するためのフローチャートである。
【００７９】
まず、ステップＳ１において、指向性合成部１２１は、マイクアレイ１１によって変換された音声信号を取得する。
【００８０】
次に、ステップＳ２において、音源分離部１２２は、取得した音声信号を音源毎に分離する。特に、音源分離部１２２は、音源毎に分離した音声信号のうち、人が発話した音声信号を示す発話音声信号を会話評価部１３へ出力し、発話音声信号以外の抑圧すべき音声信号を示す抑圧音声信号を抑圧音格納部１４へ出力する。
【００８１】
次に、ステップＳ３において、音源分離部１２２は、分離した抑圧音声信号を抑圧音格納部１４に格納する。
【００８２】
次に、ステップＳ４において、抑圧音判別部１５２は、抑圧音格納部１４に、ユーザに提供する抑圧音声信号があるか否かを判断する。抑圧音判別部１５２は、抽出した抑圧音声信号の特徴量と、抑圧音サンプル記憶部１５１に記憶されている抑圧音声信号のサンプルの特徴量とを比較する。抑圧音判別部１５２は、抑圧音サンプル記憶部１５１に記憶されている抑圧音声信号のサンプルの特徴量に類似する特徴量を有する抑圧音声信号が存在する場合、抑圧音格納部１４に、ユーザに提供する抑圧音声信号があると判断する。
【００８３】
ここで、抑圧音格納部１４に、ユーザに提供する抑圧音声信号がないと判断された場合（ステップＳ４でＮＯ）、ステップＳ５において、信号加算部１７は、会話評価部１３から出力された発話音声信号のみを出力する。音声強調部１８は、信号加算部１７によって出力された発話音声信号を強調する。そして、スピーカ１９は、音声強調部１８によって強調された発話音声信号を発話音声に変換し、変換した発話音声を出力する。この場合、発話以外の音声は、抑圧されるため、出力されない。発話音声が出力された後、処理は、ステップＳ１の処理に戻る。
【００８４】
一方、抑圧音格納部１４に、ユーザに提供する抑圧音声信号があると判断された場合（ステップＳ４でＹＥＳ）、ステップＳ６において、抑圧音判別部１５２は、ユーザに提供する抑圧音声信号を抑圧音格納部１４から抽出する。
【００８５】
次に、ステップＳ７において、抑圧音出力制御部１５３は、抑圧音判別部１５２によって抽出されたユーザに提供する抑圧音声信号に対応付けられている優先度に応じて、当該抑圧音声信号を遅延させるか否かを判断する。例えば、抑圧音出力制御部１５３は、ユーザに提供する抑圧音声信号であると判別された抑圧音声信号に対応付けられている優先度が、所定の値以上である場合、ユーザに提供する抑圧音声信号を遅延させないと判断する。また、抑圧音出力制御部１５３は、ユーザに提供する抑圧音声信号であると判別された抑圧音声信号に対応付けられている優先度が、所定の値より小さい場合、ユーザに提供する抑圧音声信号を遅延させると判断する。
【００８６】
ユーザに提供する抑圧音声信号を遅延させないと判断された場合、抑圧音出力制御部１５３は、ステップＳ６で抽出されたユーザに提供する抑圧音声信号を出力するように抑圧音出力部１６に指示する。抑圧音出力部１６は、抑圧音出力制御部１５３からの指示に応じてユーザに提供する抑圧音声信号を出力する。
【００８７】
ここで、ユーザに提供する抑圧音声信号を遅延させないと判断された場合（ステップＳ７でＮＯ）、ステップＳ８において、信号加算部１７は、会話評価部１３から出力された発話音声信号と、抑圧音出力部１６によって出力されたユーザに提供する抑圧音声信号とを出力する。音声強調部１８は、信号加算部１７によって出力された発話音声信号及び抑圧音声信号を強調する。そして、スピーカ１９は、音声強調部１８によって強調された発話音声信号及び抑圧音声信号を発話音声及び抑圧音声に変換し、変換した発話音声及び抑圧音声を出力する。この場合、発話以外の音声は、発話に重畳して出力される。発話音声及び抑圧音声が出力された後、処理は、ステップＳ１の処理に戻る。
【００８８】
一方、ユーザに提供する抑圧音声信号を遅延させると判断された場合（ステップＳ７でＹＥＳ）、ステップＳ９において、信号加算部１７は、会話評価部１３から出力された発話音声信号のみを出力する。音声強調部１８は、信号加算部１７によって出力された発話音声信号を強調する。そして、スピーカ１９は、音声強調部１８によって強調された発話音声信号を発話音声に変換し、変換した発話音声を出力する。
【００８９】
次に、ステップＳ１０において、抑圧音出力制御部１５３は、ユーザの会話が検出されない無声区間が検出されたか否かを判断する。会話評価部１３は、発話音声信号の出力が終了してから次の発話音声信号が入力されるまでの無声区間を検出する。会話評価部１３は、無声区間が検出された場合、抑圧音出力制御部１５３へ通知する。抑圧音出力制御部１５３は、会話評価部１３から無声区間が検出されたことが通知された場合、無声区間が検出されたと判断する。無声区間が検出されたと判断された場合、抑圧音出力制御部１５３は、ステップＳ６で抽出されたユーザに提供する抑圧音声信号を無声区間に出力するように抑圧音出力部１６に指示する。抑圧音出力部１６は、抑圧音出力制御部１５３からの指示に応じてユーザに提供する抑圧音声信号を出力する。ここで、無声区間が検出されていないと判断された場合（ステップＳ１０でＮＯ）、無声区間が検出されるまで、ステップＳ１０の処理が行われる。
【００９０】
一方、無声区間が検出されたと判断された場合（ステップＳ１０でＹＥＳ）、ステップＳ１１において、信号加算部１７は、抑圧音出力部１６によって出力されたユーザに提供する抑圧音声信号を出力する。音声強調部１８は、信号加算部１７によって出力された抑圧音声信号を強調する。そして、スピーカ１９は、音声強調部１８によって強調された抑圧音声信号を抑圧音声に変換し、変換した抑圧音声を出力する。抑圧音声が出力された後、処理は、ステップＳ１の処理に戻る。
【００９１】
ここで、ユーザに提供する抑圧音声信号を遅延して出力するタイミングの変形例について説明する。
【００９２】
図４は、ユーザに提供する抑圧音声信号を遅延して出力するタイミングの第１の変形例について説明するための模式図である。
【００９３】
ユーザ自身は、発話をコントロールすることができるので、ユーザ自身の発話に重なって抑圧音声が出力されたとしても問題ない。そこで、抑圧音出力制御部１５３は、ユーザ自身の発話である発話音声信号が出力されるタイミングを予測し、予測したタイミングでユーザに提供する抑圧音声を出力するように指示してもよい。
【００９４】
図４に示すように、相手の発話と、ユーザ自身の発話とが交互に入力される場合、相手の発話の後、無声区間が検出された場合、次に入力されるのはユーザ自身の発話であると予測することができる。そのため、会話評価部１３は、入力された発話音声信号の話者を識別し、抑圧音出力制御部１５３へ通知する。抑圧音出力制御部１５３は、相手の発話である発話音声信号に重なってユーザに提供する抑圧音声である抑圧音声信号が入力された後、ユーザ自身の発話である発話音声信号と、相手の発話である発話音声信号とが交互に入力され、相手の発話である発話音声信号の後に無声区間が検出された場合、ユーザに提供する抑圧音声を出力するように指示する。
【００９５】
これにより、ユーザ自身が発話するタイミングでユーザに提供する抑圧音声が出力されるので、ユーザに提供する抑圧音声をユーザはより確実に聞くことができる。
【００９６】
また、抑圧音出力制御部１５３は、相手の発話である発話音声信号に重なってユーザに提供する抑圧音声である抑圧音声信号が入力された後、ユーザ自身の発話である発話音声信号が入力された場合、ユーザに提供する抑圧音声を出力するように指示してもよい。
【００９７】
また、抑圧音出力制御部１５３は、会話量が減少し、発話と発話との間隔が大きくなった場合に、ユーザに提供する抑圧音声を出力するように指示してもよい。
【００９８】
図５は、ユーザに提供する抑圧音声信号を遅延して出力するタイミングの第２の変形例について説明するための模式図である。
【００９９】
会話量が減少し、発話と発話との間隔が大きくなった場合、無声区間にユーザに提供する抑圧音声を出力したとしても、ユーザに提供する抑圧音声が、発話と重ならない可能性が高い。そこで、抑圧音出力制御部１５３は、会話評価部１３によって検出された無声区間を記憶し、検出された無声区間が、前回検出された無声区間よりも長くなっている回数が、所定回数連続した場合、ユーザに提供する抑圧音声を出力するように指示してもよい。
【０１００】
図５に示すように、発話と発話との間の無声区間が、徐々に長くなってくると、会話量が減少してきたと判断することができる。そのため、会話評価部１３は、発話音声信号の出力が終了してから次の発話音声信号が入力されるまでの無声区間を検出する。抑圧音出力制御部１５３は、会話評価部１３によって検出された無声区間の長さを記憶する。そして、抑圧音出力制御部１５３は、検出された無声区間が、前回検出された無声区間よりも長くなっている回数が、所定回数連続した場合、ユーザに提供する抑圧音声を出力するように指示する。図５の例では、抑圧音出力制御部１５３は、検出された無声区間が、前回検出された無声区間よりも長くなっている回数が、３回数連続した場合、ユーザに提供する抑圧音声を出力するように指示している。
【０１０１】
これにより、会話量が少なくなったタイミングでユーザに提供する抑圧音声が出力されるので、ユーザに提供する抑圧音声をユーザはより確実に聞くことができる。
【０１０２】
また、音声処理装置１は、抑圧音出力制御部１５３によってユーザに提供する抑圧音声信号の優先度が最も高い優先度であると判断された場合、すなわち、ユーザに提供する抑圧音声信号がユーザに緊急に通知すべき音声である場合、音源分離部１２２によって分離された発話音声信号を記憶する発話音声記憶部をさらに備えてもよい。抑圧音出力制御部１５３は、ユーザに提供する抑圧音声信号の優先度が最も高い優先度であると判断した場合、抑圧音声信号を出力するように抑圧音出力部１６に指示するとともに、音源分離部１２２によって分離された発話音声信号を記憶するように発話音声記憶部に指示する。信号加算部１７は、抑圧音声信号の出力が完了した後、発話音声記憶部に記憶されている発話音声信号を読み出して出力する。
【０１０３】
これにより、例えば緊急に通知すべき抑圧音声信号が出力された後、抑圧音声信号が出力された間に入力された発話音声信号を出力することができるので、ユーザは、ユーザに提供する抑圧音声を確実に聞くことができるとともに、会話も確実に聞くことができる。
【０１０４】
また、抑圧音出力部１６は、抑圧音声信号の周波数を変更して出力してもよい。また、抑圧音出力部１６は、抑圧音声信号の位相を連続的に変化させて出力してもよい。さらに、音声処理装置１は、スピーカ１９から抑圧音声が出力される場合、スピーカ１９を有するイヤホンを振動させる振動部を備えてもよい。
【０１０５】
（実施の形態２）
続いて、実施の形態２における音声処理装置について説明する。実施の形態１では、ユーザに提供する抑圧音声を直接出力しているが、実施の形態２では、ユーザに提供する抑圧音声を直接出力するのではなく、ユーザに提供する抑圧音声が存在することを報知する報知音声を出力する。
【０１０６】
図６は、実施の形態２における音声処理装置の構成を示す図である。音声処理装置２は、例えば、補聴器である。
【０１０７】
図６に示す音声処理装置２は、マイクアレイ１１、音声抽出部１２、会話評価部１３、抑圧音格納部１４、信号加算部１７、音声強調部１８、スピーカ１９、報知音声記憶部２０、報知音声出力部２１及び優先度評価部２２を備える。なお、以下の説明では、実施の形態１と同じ構成については、同じ符号を付して説明を省略し、実施の形態１とは異なる構成についてのみ説明する。
【０１０８】
優先度評価部２２は、抑圧音サンプル記憶部１５１、抑圧音判別部１５２及び報知音声出力制御部１５４を備える。
【０１０９】
報知音声出力制御部１５４は、抑圧音判別部１５２によってユーザに提供する音声を示す抑圧音声信号であると判別された抑圧音声信号に対応付けられている優先度に応じて、当該抑圧音声信号に対応付けられている報知音声信号を出力するか否かを判断するとともに、報知音声信号を出力するタイミングを判断する。報知音声出力制御部１５４における報知音声信号の出力制御処理は、実施の形態１における抑圧音出力制御部１５３における抑圧音声信号の出力制御処理と同じであるので、詳細な説明は省略する。
【０１１０】
報知音声記憶部２０は、ユーザに提供する抑圧音声信号に対応付けて報知音声信号を記憶する。報知音声信号は、ユーザに提供する抑圧音声信号が入力されたことを報知するための音声である。例えば、電話機の着信音を示す抑圧音声信号には、「電話が鳴っています」という報知音声信号が対応付けられており、車のエンジン音を示す抑圧音声信号には、「車が接近しています」という報知音声信号が対応付けられている。
【０１１１】
報知音声出力部２１は、報知音声出力制御部１５４からの指示に応じて、ユーザに提供する抑圧音声信号に対応付けられている報知音声信号を報知音声記憶部２０から読み出し、読み出した報知音声信号を信号加算部１７へ出力する。実施の形態２における報知音声信号を出力するタイミングは、実施の形態１における抑圧音声信号を出力するタイミングと同じである。
【０１１２】
図７は、実施の形態２における音声処理装置の動作の一例を説明するためのフローチャートである。
【０１１３】
なお、図７に示すステップＳ２１〜ステップＳ２７の処理は、図３に示すステップＳ１〜ステップＳ７の処理と同じであるので、説明を省略する。
【０１１４】
ユーザに提供する抑圧音声信号を遅延させないと判断された場合、報知音声出力制御部１５４は、ステップＳ２６で抽出されたユーザに提供する抑圧音声信号に対応付けられている報知音声信号を出力するように報知音声出力部２１に指示する。
【０１１５】
ユーザに提供する抑圧音声信号を遅延させないと判断された場合（ステップＳ２７でＮＯ）、ステップＳ２８において、報知音声出力部２１は、ステップＳ２６で抽出されたユーザに提供する抑圧音声信号に対応付けられている報知音声信号を報知音声記憶部２０から読み出す。報知音声出力部２１は、読み出した報知音声信号を信号加算部１７へ出力する。
【０１１６】
次に、ステップＳ２９において、信号加算部１７は、会話評価部１３から出力された発話音声信号と、報知音声出力部２１によって出力された報知音声信号とを出力する。音声強調部１８は、信号加算部１７によって出力された発話音声信号及び報知音声信号を強調する。そして、スピーカ１９は、音声強調部１８によって強調された発話音声信号及び報知音声信号を発話音声及び報知音声に変換し、変換した発話音声及び報知音声を出力する。発話音声及び報知音声が出力された後、処理は、ステップＳ２１の処理に戻る。
【０１１７】
一方、ユーザに提供する抑圧音声信号を遅延させると判断された場合（ステップＳ２７でＹＥＳ）、ステップＳ３０において、信号加算部１７は、会話評価部１３から出力された発話音声信号のみを出力する。音声強調部１８は、信号加算部１７によって出力された発話音声信号を強調する。そして、スピーカ１９は、音声強調部１８によって強調された発話音声信号を発話音声に変換し、変換した発話音声を出力する。
【０１１８】
次に、ステップＳ３１において、報知音声出力制御部１５４は、ユーザの会話が検出されない無声区間が検出されたか否かを判断する。会話評価部１３は、発話音声信号の出力が終了してから次の発話音声信号が入力されるまでの無声区間を検出する。会話評価部１３は、無声区間が検出された場合、報知音声出力制御部１５４へ通知する。報知音声出力制御部１５４は、会話評価部１３から無声区間が検出されたことが通知された場合、無声区間が検出されたと判断する。無声区間が検出されたと判断された場合、報知音声出力制御部１５４は、ステップＳ２６で抽出されたユーザに提供する抑圧音声信号に対応付けられている報知音声信号を出力するように報知音声出力部２１に指示する。ここで、無声区間が検出されていないと判断された場合（ステップＳ３１でＮＯ）、無声区間が検出されるまで、ステップＳ３１の処理が行われる。
【０１１９】
一方、無声区間が検出されたと判断された場合（ステップＳ３１でＹＥＳ）、ステップＳ３２において、報知音声出力部２１は、ステップＳ２６で抽出されたユーザに提供する抑圧音声信号に対応付けられている報知音声信号を報知音声記憶部２０から読み出す。報知音声出力部２１は、読み出した報知音声信号を信号加算部１７へ出力する。
【０１２０】
次に、ステップＳ３３において、信号加算部１７は、報知音声出力部２１によって出力された報知音声信号を出力する。音声強調部１８は、信号加算部１７によって出力された報知音声信号を強調する。そして、スピーカ１９は、音声強調部１８によって強調された報知音声信号を報知音声に変換し、変換した報知音声を出力する。報知音声が出力された後、処理は、ステップＳ２１の処理に戻る。
【０１２１】
以上のように、ユーザに提供する抑圧音声が直接出力されるのではなく、ユーザに提供する抑圧音声が入力されたことを報知する報知音声が出力されるので、ユーザに通知すべき周囲の状況を報知することができる。
【０１２２】
なお、本実施の形態２では、分離された抑圧音声信号のうち、ユーザに提供する抑圧音声信号が存在する場合、ユーザに提供する抑圧音声が存在することを報知する報知音声を出力しているが、本開示は特にこれに限定されず、分離された抑圧音声信号のうち、ユーザに提供する抑圧音声信号が存在する場合、ユーザに提供する抑圧音声が存在することを報知する報知画像を表示してもよい。
【０１２３】
この場合、音声処理装置２は、実施の形態２の報知音声出力制御部１５４、報知音声記憶部２０及び報知音声出力部２１に替えて、報知画像出力制御部、報知画像記憶部、報知画像出力部及び表示部を備える。
【０１２４】
報知画像出力制御部は、抑圧音判別部１５２によってユーザに提供する音声を示す抑圧音声信号であると判別された抑圧音声信号に対応付けられている優先度に応じて、当該抑圧音声信号に対応付けられている報知画像を出力するか否かを判断するとともに、報知画像を出力するタイミングを判断する。
【０１２５】
報知画像記憶部は、ユーザに提供する抑圧音声信号に対応付けて報知画像を記憶する。報知画像は、ユーザに提供する抑圧音声信号が入力されたことを報知するための画像である。例えば、電話機の着信音を示す抑圧音声信号には、「電話が鳴っています」という報知画像が対応付けられており、車のエンジン音を示す抑圧音声信号には、「車が接近しています」という報知画像が対応付けられている。
【０１２６】
報知画像出力部は、報知画像出力制御部からの指示に応じて、ユーザに提供する抑圧音声信号に対応付けられている報知画像を報知画像記憶部から読み出し、読み出した報知画像を表示部へ出力する。表示部は、報知画像出力部によって出力された報知画像を表示する。
【０１２７】
また、本実施の形態では、報知音声は、ユーザに提供する抑圧音声の内容を示す文章で表されるが、本開示はこれに限定されず、ユーザに提供する抑圧音声の内容に対応する音で表してもよい。すなわち、報知音声記憶部２０は、ユーザに提供する抑圧音声信号毎に音を予め対応付けて記憶し、報知音声出力部２１は、ユーザに提供する抑圧音声信号に対応付けられている音を報知音声記憶部２０から読み出して出力してもよい。
【０１２８】
（実施の形態３）
続いて、実施の形態３における音声処理装置について説明する。実施の形態１，２では、ユーザの周囲の音声を示す周囲音声信号を、人の発話した音声を示す発話音声信号と、発話した音声とは異なり抑圧される音声を示す抑圧音声信号とに分離しているが、実施の形態３では、音源から再生した再生音声信号を出力するとともに、ユーザの周囲の音声を示す周囲音声信号からユーザに提供する周囲音声信号を抽出して出力する。
【０１２９】
図８は、実施の形態３における音声処理装置の構成を示す図である。音声処理装置３は、例えば、携帯型音楽プレーヤ又はラジオ放送受信機である。
【０１３０】
図８に示す音声処理装置３は、マイクアレイ１１、音源部３０、再生部３１、音声抽出部３２、周囲音格納部３３、優先度評価部３４、周囲音出力部３５、信号加算部３６及びスピーカ１９を備える。なお、以下の説明では、実施の形態１と同じ構成については、同じ符号を付して説明を省略し、実施の形態１とは異なる構成についてのみ説明する。
【０１３１】
音源部３０は、例えばメモリで構成され、主音声を示す音声信号を記憶する。なお、主音声は、例えば音楽データである。また、音源部３０は、例えばラジオ放送受信機で構成されてもよく、ラジオ放送を受信し、受信したラジオ放送を音声信号に変換してもよい。また、音源部３０は、例えばテレビ放送受信機で構成されてもよく、テレビ放送を受信し、受信したテレビ放送を音声信号に変換してもよい。また、音源部３０は、例えば光ディスクドライブで構成されてもよく、光ディスクに記録された音声信号を読み出してもよい。
【０１３２】
再生部３１は、音源部３０から音声信号を再生し、再生した再生音声信号を出力する。
【０１３３】
音声抽出部３２は、指向性合成部３２１及び音源分離部３２２を備える。指向性合成部３２１は、マイクアレイ１１から出力された複数の周囲音声信号から、同一音源から出力された複数の周囲音声信号を抽出する。
【０１３４】
音源分離部３２２は、例えば、ブラインド音源分離処理により、入力された複数の周囲音声信号を音源毎に分離する。
【０１３５】
周囲音格納部３３は、音源分離部３２２から入力された複数の周囲音声信号を格納する。
【０１３６】
優先度評価部３４は、周囲音サンプル記憶部３４１、周囲音判別部３４２及び周囲音出力制御部３４３を備える。
【０１３７】
周囲音サンプル記憶部３４１は、ユーザに提供する周囲音声信号の特徴量を示す音響パラメタを周囲音声信号毎に記憶する。また、周囲音サンプル記憶部３４１は、音響パラメタに対応付けて優先度を記憶してもよい。重要度（緊急度）が高い音声には、高い優先度が付与され、重要度（緊急度）が低い音声には、低い優先度が付与される。例えば、ユーザが再生した音声を聞いている場合であっても、即座にユーザに通知した方がよい音声には、第１の優先度が付与され、音声の再生が終了した後でユーザに通知してもよい音声には、第１の優先度より低い第２の優先度が付与される。また、ユーザに通知する必要がない音声については、第２の優先度より低い第３の優先度が付与されてもよい。なお、抑圧音サンプル記憶部１５１は、ユーザに通知する必要がない音声の音響パラメタを記憶しなくてもよい。
【０１３８】
周囲音判別部３４２は、周囲音格納部３３に格納されている複数の周囲音声信号のうち、ユーザに提供する音声を示す周囲音声信号を判別する。周囲音判別部３４２は、取得された周囲音声信号から、ユーザに提供する音声を示す周囲音声信号を抽出する。周囲音判別部３４２は、周囲音格納部３３に格納されている複数の周囲音声信号の音響パラメタと、周囲音サンプル記憶部３４１に記憶されている音響パラメタとを比較し、周囲音サンプル記憶部３４１に記憶されている音響パラメタに類似する音響パラメタを有する周囲音声信号を周囲音格納部３３から抽出する。
【０１３９】
周囲音出力制御部３４３は、周囲音判別部３４２によってユーザに提供する音声を示す周囲音声信号であると判別された周囲音声信号に対応付けられている優先度に応じて、当該周囲音声信号を出力するか否かを判断するとともに、周囲音声信号を出力するタイミングを判断する。周囲音出力制御部３４３は、周囲音声信号を遅延させずに再生音声信号とともに出力する第１の出力パターンと、再生音声信号のみを出力した後、周囲音声信号を遅延させて出力する第２の出力パターンと、周囲音声信号が抽出されない場合、再生音声信号のみを出力する第３の出力パターンとのうちいずれかの出力パターンを選択する。
【０１４０】
また、周囲音出力制御部３４３は、第１の出力パターンが選択された場合、周囲音声信号を出力するように周囲音出力部３５に指示する。また、周囲音出力制御部３４３は、第２の出力パターンが選択された場合、再生部３１による音声信号の再生が終了したか否かを判断し、音声信号の再生が終了したと判断された場合、周囲音声信号を出力するように周囲音出力部３５に指示する。また、周囲音出力制御部３４３は、第３の出力パターンが選択された場合、周囲音声信号を出力しないように周囲音出力部３５に指示する。
【０１４１】
周囲音出力部３５は、周囲音出力制御部３４３からの指示に応じて周囲音声信号を出力する。
【０１４２】
信号加算部３６は、音源部３０から読み出した再生音声信号（第１の音声信号）を出力するとともに、抑圧音判別部１５２によって抽出されたユーザに提供する周囲音声信号（提供音声信号）を出力する。信号加算部３６は、再生部３１から出力された再生音声信号と、周囲音出力部３５によって出力された周囲音声信号とを合成（加算）して出力する。信号加算部３６は、第１の出力パターンが選択された場合、周囲音声信号を遅延させずに再生音声信号とともに出力する。信号加算部３６は、第２の出力パターンが選択された場合、再生音声信号のみを出力した後、周囲音声信号を遅延させて出力する。信号加算部３６は、第３の出力パターンが選択された場合、再生音声信号のみを出力する。
【０１４３】
図９は、実施の形態３における音声処理装置の動作の一例を説明するためのフローチャートである。
【０１４４】
まず、ステップＳ４１において、指向性合成部１２１は、マイクアレイ１１によって変換された周囲音声信号を取得する。周囲音声信号は、ユーザ（音声処理装置）の周囲の音声を示す。
【０１４５】
次に、ステップＳ４２において、音源分離部３２２は、取得した周囲音声信号を音源毎に分離する。
【０１４６】
次に、ステップＳ４３において、音源分離部３２２は、分離した周囲音声信号を周囲音格納部３３に格納する。
【０１４７】
次に、ステップＳ４４において、周囲音判別部３４２は、周囲音格納部３３に、ユーザに提供する抑圧音声信号があるか否かを判断する。周囲音判別部３４２は、抽出した抑圧音声信号の特徴量と、周囲音サンプル記憶部３４１に記憶されている抑圧音声信号のサンプルの特徴量とを比較する。周囲音判別部３４２は、周囲音サンプル記憶部３４１に記憶されている周囲音声信号のサンプルの特徴量に類似する特徴量を有する周囲音声信号が存在する場合、周囲音格納部３３に、ユーザに提供する周囲音声信号があると判断する。
【０１４８】
ここで、周囲音格納部３３に、ユーザに提供する周囲音声信号がないと判断された場合（ステップＳ４４でＮＯ）、ステップＳ４５において、信号加算部３６は、再生部３１から出力された再生音声信号のみを出力する。そして、スピーカ１９は、信号加算部３６によって出力された再生音声信号を再生音声に変換し、変換した再生音声を出力する。再生音声が出力された後、処理は、ステップＳ４１の処理に戻る。
【０１４９】
一方、周囲音格納部３３に、ユーザに提供する周囲音声信号があると判断された場合（ステップＳ４４でＹＥＳ）、ステップＳ４６において、周囲音判別部３４２は、ユーザに提供する周囲音声信号を周囲音格納部３３から抽出する。
【０１５０】
次に、ステップＳ４７において、周囲音出力制御部３４３は、周囲音判別部３４２によって抽出されたユーザに提供する周囲音声信号に対応付けられている優先度に応じて、当該周囲音声信号を遅延させるか否かを判断する。例えば、周囲音出力制御部３４３は、ユーザに提供する周囲音声信号であると判別された周囲音声信号に対応付けられている優先度が、所定の値以上である場合、ユーザに提供する周囲音声信号を遅延させないと判断する。また、周囲音出力制御部３４３は、ユーザに提供する周囲音声信号であると判別された周囲音声信号に対応付けられている優先度が、所定の値より小さい場合、ユーザに提供する周囲音声信号を遅延させると判断する。
【０１５１】
ユーザに提供する周囲音声信号を遅延させないと判断された場合、周囲音出力制御部３４３は、ステップＳ４６で抽出されたユーザに提供する周囲音声信号を出力するように周囲音出力部３５に指示する。周囲音出力部３５は、周囲音出力制御部３４３からの指示に応じてユーザに提供する周囲音声信号を出力する。
【０１５２】
ここで、ユーザに提供する周囲音声信号を遅延させないと判断された場合（ステップＳ４７でＮＯ）、ステップＳ４８において、信号加算部３６は、再生部３１から出力された再生音声信号と、周囲音出力部３５によって出力されたユーザに提供する周囲音声信号とを出力する。そして、スピーカ１９は、信号加算部３６によって出力された再生音声信号及び周囲音声信号を再生音声及び周囲音声に変換し、変換した再生音声及び周囲音声を出力する。再生音声及び周囲音声が出力された後、処理は、ステップＳ４１の処理に戻る。
【０１５３】
一方、ユーザに提供する周囲音声信号を遅延させると判断された場合（ステップＳ４７でＹＥＳ）、ステップＳ４９において、信号加算部３６は、再生部３１から出力された再生音声信号のみを出力する。そして、スピーカ１９は、信号加算部３６によって出力された再生音声信号を再生音声に変換し、変換した再生音声を出力する。
【０１５４】
次に、ステップＳ５０において、周囲音出力制御部３４３は、再生部３１による再生音声信号の再生が終了したか否かを判断する。再生部３１は、再生音声信号の再生が終了した場合、周囲音出力制御部３４３へ通知する。周囲音出力制御部３４３は、再生部３１から再生音声信号の再生が終了したことが通知された場合、再生音声信号の再生が終了したと判断する。再生音声信号の再生が終了したと判断された場合、周囲音出力制御部３４３は、ステップＳ４６で抽出されたユーザに提供する周囲音声信号を出力するように周囲音出力部３５に指示する。周囲音出力部３５は、周囲音出力制御部３４３からの指示に応じてユーザに提供する周囲音声信号を出力する。ここで、再生音声信号の再生が終了していないと判断された場合（ステップＳ５０でＮＯ）、再生音声信号の再生が終了するまで、ステップＳ５０の処理が行われる。
【０１５５】
一方、再生音声信号の再生が終了したと判断された場合（ステップＳ５０でＹＥＳ）、ステップＳ５１において、信号加算部３６は、周囲音出力部３５によって出力されたユーザに提供する周囲音声信号を出力する。そして、スピーカ１９は、信号加算部３６によって出力された周囲音声信号を周囲音声に変換し、変換した周囲音声を出力する。周囲音声が出力された後、処理は、ステップＳ４１の処理に戻る。
【０１５６】
なお、実施の形態３における周囲音声を出力するタイミングは、実施の形態１における抑圧音声を出力するタイミングと同じであってもよい。
【０１５７】
（実施の形態４）
続いて、実施の形態４における音声処理装置について説明する。実施の形態３では、ユーザに提供する周囲音声を直接出力しているが、実施の形態４では、ユーザに提供する周囲音声を直接出力するのではなく、ユーザに提供する周囲音声が存在することを報知する報知音声を出力する。
【０１５８】
図１０は、実施の形態４における音声処理装置の構成を示す図である。音声処理装置４は、例えば、携帯型音楽プレーヤ又はラジオ放送受信機である。
【０１５９】
図１０に示す音声処理装置４は、マイクアレイ１１、スピーカ１９、音源部３０、再生部３１、音声抽出部３２、周囲音格納部３３、信号加算部３６、優先度評価部３７、報知音声記憶部３８及び報知音声出力部３９を備える。なお、以下の説明では、実施の形態３と同じ構成については、同じ符号を付して説明を省略し、実施の形態３とは異なる構成についてのみ説明する。
【０１６０】
優先度評価部３７は、周囲音サンプル記憶部３４１、周囲音判別部３４２及び報知音声出力制御部３４４を備える。
【０１６１】
報知音声出力制御部３４４は、周囲音判別部３４２によってユーザに提供する音声を示す周囲音声信号であると判別された周囲音声信号に対応付けられている優先度に応じて、当該周囲音声信号に対応付けられている報知音声信号を出力するか否かを判断するとともに、報知音声信号を出力するタイミングを判断する。報知音声出力制御部３４４における報知音声信号の出力制御処理は、実施の形態３における周囲音出力制御部３４３における周囲音声信号の出力制御処理と同じであるので、詳細な説明は省略する。
【０１６２】
報知音声記憶部３８は、ユーザに提供する周囲音声信号に対応付けて報知音声信号を記憶する。報知音声信号は、ユーザに提供する周囲音声信号が入力されたことを報知するための音声である。例えば、電話機の着信音を示す周囲音声信号には、「電話が鳴っています」という報知音声信号が対応付けられており、車のエンジン音を示す周囲音声信号には、「車が接近しています」という報知音声信号が対応付けられている。
【０１６３】
報知音声出力部３９は、報知音声出力制御部３４４からの指示に応じて、ユーザに提供する周囲音声信号に対応付けられている報知音声信号を報知音声記憶部３８から読み出し、読み出した報知音声信号を信号加算部３６へ出力する。実施の形態４における報知音声信号を出力するタイミングは、実施の形態３における抑圧音声信号を出力するタイミングと同じである。
【０１６４】
図１１は、実施の形態４における音声処理装置の動作の一例を説明するためのフローチャートである。
【０１６５】
なお、図１１に示すステップＳ６１〜ステップＳ６７の処理は、図９に示すステップＳ４１〜ステップＳ４７の処理と同じであるので、説明を省略する。
【０１６６】
ユーザに提供する周囲音声信号を遅延させないと判断された場合、報知音声出力制御部３４４は、ステップＳ６６で抽出されたユーザに提供する周囲音声信号に対応付けられている報知音声信号を出力するように報知音声出力部３９に指示する。
【０１６７】
ユーザに提供する周囲音声信号を遅延させないと判断された場合（ステップＳ６７でＮＯ）、ステップＳ６８において、報知音声出力部３９は、ステップＳ６６で抽出されたユーザに提供する周囲音声信号に対応付けられている報知音声信号を報知音声記憶部３８から読み出す。報知音声出力部３９は、読み出した報知音声信号を信号加算部３６へ出力する。
【０１６８】
次に、ステップＳ６９において、信号加算部３６は、再生部３１から出力された再生音声信号と、報知音声出力部３９によって出力された報知音声信号とを出力する。そして、スピーカ１９は、信号加算部３６によって出力された再生音声信号及び報知音声信号を再生音声及び報知音声に変換し、変換した再生音声及び報知音声を出力する。再生音声及び報知音声が出力された後、処理は、ステップＳ６１の処理に戻る。
【０１６９】
一方、ユーザに提供する周囲音声信号を遅延させると判断された場合（ステップＳ６７でＹＥＳ）、ステップＳ７０において、信号加算部３６は、再生部３１から出力された再生音声信号のみを出力する。そして、スピーカ１９は、信号加算部３６によって出力された再生音声信号を再生音声に変換し、変換した再生音声を出力する。
【０１７０】
次に、ステップＳ７１において、報知音声出力制御部３４４は、再生部３１による再生音声信号の再生が終了したか否かを判断する。再生部３１は、再生音声信号の再生が終了した場合、報知音声出力制御部３４４へ通知する。報知音声出力制御部３４４は、再生部３１から再生音声信号の再生が終了したことが通知された場合、再生音声信号の再生が終了したと判断する。再生音声信号の再生が終了したと判断された場合、報知音声出力制御部３４４は、ステップＳ６６で抽出されたユーザに提供する周囲音声信号に対応付けられている報知音声信号を出力するように報知音声出力部３９に指示する。ここで、再生音声信号の再生が終了していないと判断された場合（ステップＳ７１でＮＯ）、再生音声信号の再生が終了するまで、ステップＳ７１の処理が行われる。
【０１７１】
一方、再生音声信号の再生が終了したと判断された場合（ステップＳ７１でＹＥＳ）、ステップＳ７２において、報知音声出力部３９は、ステップＳ６６で抽出されたユーザに提供する周囲音声信号に対応付けられている報知音声信号を報知音声記憶部３８から読み出す。報知音声出力部３９は、読み出した報知音声信号を信号加算部３６へ出力する。
【０１７２】
次に、ステップＳ７３において、信号加算部３６は、報知音声出力部３９によって出力された報知音声信号を出力する。そして、スピーカ１９は、信号加算部３６によって出力された報知音声信号を報知音声に変換し、変換した報知音声を出力する。報知音声が出力された後、処理は、ステップＳ６１の処理に戻る。
【０１７３】
以上のように、ユーザに提供する周囲音声が直接出力されるのではなく、ユーザに提供する周囲音声が入力されたことを報知する報知音声が出力されるので、ユーザに通知すべき周囲の状況を報知することができる。
【産業上の利用可能性】
【０１７４】
本開示に係る音声処理装置、音声処理方法及び音声処理プログラムは、ユーザの周囲の音声の中から、ユーザに提供する音声を出力することができ、ユーザの周囲の音声を示す音声信号を取得し、取得した音声信号に対して所定の処理を施す音声処理装置、音声処理方法及び音声処理プログラムとして有用である。
【符号の説明】
【０１７５】
１，２，３，４    音声処理装置
１１    マイクアレイ
１２    音声抽出部
１３    会話評価部
１４    抑圧音格納部
１５    優先度評価部
１６    抑圧音出力部
１７    信号加算部
１８    音声強調部
１９    スピーカ
２０    報知音声記憶部
２１    報知音声出力部
２２    優先度評価部
３０    音源部
３１    再生部
３２    音声抽出部
３３    周囲音格納部
３４    優先度評価部
３５    周囲音出力部
３６    信号加算部
３７    優先度評価部
３８    報知音声記憶部
３９    報知音声出力部
１２１    指向性合成部
１２２    音源分離部
１５１    抑圧音サンプル記憶部
１５２    抑圧音判別部
１５３    抑圧音出力制御部
１５４    報知音声出力制御部
３２１    指向性合成部
３２２    音源分離部
３４１    周囲音サンプル記憶部
３４２    周囲音判別部
３４３    周囲音出力制御部
３４４    報知音声出力制御部
【図１】
2020156107.tif 000003
【図２】
2020156107.tif 000004
【図３】
2020156107.tif 000005
【図４】
2020156107.tif 000006
【図５】
2020156107.tif 000007
【図６】
2020156107.tif 000008
【図７】
2020156107.tif 000009
【図８】
2020156107.tif 000010
【図９】
2020156107.tif 000011
【図１０】
2020156107.tif 000012
【図１１】
2020156107.tif 000013